(57)【要約】【課題】  新聞や雑誌等の定期購読物の購読推進する業務を支援する定期刊行物購読支援方法を提供する。【解決手段】  管理サーバ８は、ホームページ上で各種の魅力的なサービスを提供する。管理サーバ８は、新聞の既購読者に対してポイントの発行・利用をできるようにする。管理サーバ８は、管轄地域外のユーザから購読申込があった場合に、そのユーザの住所に対応した他の新聞販売店に紹介し、紹介料を受けるようにする。【選択図】  図１
2009266081.tif 000002
【特許請求の範囲】
【請求項１】
新聞あるいは雑誌の定期購読物の購読を促進する処理をコンピュータが実行する定期刊行物購読支援方法であって、
ホームページ画像を提供するホームぺージ提供工程と、
前記ホームページを介して会員登録を受け付ける会員登録工程と、
前記ホームページを介して購読申し込みを受け付ける購読受付工程と、
前記会員登録を受け付けた会員を、前記定期購読物の購読者であるか否かの情報と共に管理する管理データを生成する管理工程と、
前記会員からのサービス要求に応じて所定のサービスを提供するサービス工程と、
前記サービス工程で提供したサービスに応じて、前記サービス要求を出した会員が前記定期購読物の購読者であることを条件に、当該会員に対してポイントを発行する処理を行うポイント発行工程と、
店舗から前記会員により前記ポイントが利用されたことを示す通知を受けると、当該会員の前記管理データを更新する更新工程と
を有する定期刊行物購読支援方法。
【請求項２】
前記定期購読物の購読を管理する事業者に、当該事業者が管轄する地域範囲がある場合に、
前記購読受付工程で、購読申し込みをしたユーザの住所が前記事業者が管轄する地域範囲内であることを条件に、前記管理工程において当該事業者が前記定期購読物を配達する購読者として登録し、
購読申し込みをしたユーザの住所が前記事業者が管轄する地域範囲外である場合に、当該地域範囲外の事業者に、当該ユーザを前記地域範囲外の事業者に紹介する処理を行う
請求項１に記載の定期刊行物購読支援方法。
【請求項３】
前記サービス工程で提供されるサービスは、ゲーム、ニュース、物々交換情報、出張者便利情報、地域イベント動画情報などである
請求項１または請求項２に記載の定期刊行物購読支援方法。
【請求項４】
新聞あるいは雑誌の定期購読物の購読を促進する処理をコンピュータが実行する定期刊行物購読支援システムであって、
ホームページ画像を提供するホームぺージ提供手段と、
前記ホームページを介して会員登録を受け付ける会員登録手段と、
前記ホームページを介して購読申し込みを受け付ける購読受付手段と、
前記会員登録を受け付けた会員を、前記定期購読物の購読者であるか否かの情報と共に管理する管理データを生成する管理手段と、
前記会員からのサービス要求に応じて所定のサービスを提供するサービス手段と、
前記サービス手段で提供したサービスに応じて、前記サービス要求を出した会員が前記定期購読物の購読者であることを条件に、当該会員に対してポイントを発行する処理を行うポイント発行手段と、
店舗から前記会員により前記ポイントが利用されたことを示す通知を受けると、当該会員の前記管理データを更新する更新手段と
を有する定期刊行物購読支援システム。
【発明の詳細な説明】
【技術分野】
【０００１】
本発明は、新聞や雑誌等の定期購読物の購読推進する業務を支援する定期刊行物購読支援方法およびその方法に関するものである。
【背景技術】
【０００２】
近年、新聞の販売代理店は、自店が管轄する地域内の購読者の自宅に毎日新聞を配達する。
新聞の新規購読者の獲得のための営業は、通常、販売代理店の店員等が、未購読者の自宅に出向いて行うことが多い。
しかしながら、近年、オートロック式の集合住宅が多くなり、従来からの営業スタイルで新規購読者を獲得することが困難になってきている。また、インターネットを通じたニュース配信の普及により、新規購読者の獲得はますます困難になってきている。
このような問題を解決するために、従来では、各販売代理店が、自店のホームページを開催している。
【発明の開示】
【発明が解決しようとする課題】
【０００３】
しかしながら、上述した従来の販売代理店のホームページは、販売代理店の情報、求人情報等を掲載するに留まり、新規購読者の獲得効果が低いという問題がある。
【０００４】
本発明はかかる事情に鑑みてなされたものであり、その目的は、新聞や雑誌等の定期購読物の購読推進する業務を支援する定期刊行物購読支援方法およびそのシステムを提供することにある。
【課題を解決するための手段】
【０００５】
上述した従来技術の問題点を解決し、上述した目的を達成するために、本発明の定期刊行物購読支援方法は、新聞あるいは雑誌の定期購読物の購読を促進する処理をコンピュータが実行する定期刊行物購読支援方法であって、ホームページ画像を提供するホームぺージ提供工程と、前記ホームページを介して会員登録を受け付ける会員登録工程と、前記ホームページを介して購読申し込みを受け付ける購読受付工程と、前記会員登録を受け付けた会員を、前記定期購読物の購読者であるか否かの情報と共に管理する管理データを生成する管理工程と、前記会員からのサービス要求に応じて所定のサービスを提供するサービス工程と、前記サービス工程で提供したサービスに応じて、前記サービス要求を出した会員が前記定期購読物の購読者であることを条件に、当該会員に対してポイントを発行する処理を行うポイント発行工程と、店舗から前記会員により前記ポイントが利用されたことを示す通知を受けると、当該会員の前記管理データを更新する更新工程とを有する。
【０００６】
好適には、本発明の定期刊行物購読支援方法は、前記定期購読物の購読を管理する事業者に、当該事業者が管轄する地域範囲がある場合に、前記購読受付工程で、購読申し込みをしたユーザの住所が前記事業者が管轄する地域範囲内であることを条件に、前記管理工程において当該事業者が前記定期購読物を配達する購読者として登録し、購読申し込みをしたユーザの住所が前記事業者が管轄する地域範囲外である場合に、当該地域範囲外の事業者に、当該ユーザを前記地域範囲外の事業者に紹介する処理を行う。
【０００７】
好適には、本発明の定期刊行物購読支援方法の前記サービス工程で提供されるサービスは、ゲーム、ニュース、物々交換情報、出張者便利情報、地域イベント動画情報などである。
【０００８】
本発明の定期刊行物購読支援システムは、新聞あるいは雑誌の定期購読物の購読を促進する処理をコンピュータが実行する定期刊行物購読支援システムであって、ホームページ画像を提供するホームぺージ提供手段と、前記ホームページを介して会員登録を受け付ける会員登録手段と、前記ホームページを介して購読申し込みを受け付ける購読受付手段と、前記会員登録を受け付けた会員を、前記定期購読物の購読者であるか否かの情報と共に管理する管理データを生成する管理手段と、前記会員からのサービス要求に応じて所定のサービスを提供するサービス手段と、前記サービス手段で提供したサービスに応じて、前記サービス要求を出した会員が前記定期購読物の購読者であることを条件に、当該会員に対してポイントを発行する処理を行うポイント発行手段と、店舗から前記会員により前記ポイントが利用されたことを示す通知を受けると、当該会員の前記管理データを更新する更新手段とを有する。
【発明の効果】
【０００９】
本発明によれば、新聞や雑誌等の定期購読物の購読推進する業務を支援する定期刊行物購読支援方法およびそのシステムを提供する。
【発明を実施するための最良の形態】
【００１０】
以下、本発明の実施形態に係る新聞購読促進システムについて説明する。
図１は、本発明の実施形態に係る新聞購読促進システム１の全体構成図である。
図１に示すように、新聞購読促進システム１は、例えば、ユーザ端末４−１〜４−ｐ、店舗ＰＣ６―１〜６−ｍおよび管理サーバ８を用いて実現される。
新聞購読促進システム１は、例えば、新聞販売店、あるいはそこから依頼を受けた業者によって運営・管理される。この新聞販売店は、通常、所定の地域範囲内のみを管轄している。
【００１１】
ユーザ端末４−１〜４−ｐは、一般のユーザの携帯電話やパーソナルコンピュータなどの端末装置であり、インターネット等を介してホームページにアクセス可能な機能を備えている。
【００１２】
店舗ＰＣ６―１〜６−ｍは、例えば、上記新聞販売店と契約した店舗などが使うパーソナルコンピュータである。
なお、店舗ＰＣ６―１〜６−ｍは、ポイントに関して所定の処理が可能な専用装置であってもよい。
上記店舗は、例えば、上記新聞販売店の管轄地域内の店舗であってもよいし、当該管轄地域外の店舗であってもよい。
【００１３】
管理サーバ８は、例えば、ユーザ端末４−１〜４−ｐによってアクセス可能なホームページを提供する。当該ホームページは、コンピュータ用および携帯端末用の少なくとも一方である。
また、管理サーバ８は、ユーザ端末４−１〜４−ｐからのアクセスに応じて各種サービスを提供する。
管理サーバ８が提供するサービスとしては、例えば、図２に示すように、ゲーム、ニュース、物々交換情報、出張者便利情報、並びに地域イベント動画情報などがある。
【００１４】
図３は、図１に示す管理サーバ８の構成図である。
図３に示すように、管理サーバ８は、例えば、インターフェース２１、ディスプレイ２２、操作部２３、メモリ２４および処理回路２５を有する。
【００１５】
インターフェース２１は、図１に示すインターネット９を介してユーザ端末４−１〜４−ｐおよび店舗ＰＣ６―１〜６−ｍとデータおよび要求の送受信を行うインターフェースである。
ディスプレイ２２は、処理回路２５の処理結果に応じた画面を表示する。
操作部２３は、キーボードやマウスなどの操作手段であり、ユーザの操作に応じた操作信号を処理回路２５に出力する。
【００１６】
メモリ２４は、処理回路２５が実行するプログラム、並びに当該プログラムの処理に用いられるデータを記憶する。
具体的には、メモリ２４は、ホームページデータ、並びにポイント発行などに関する処理を記述したプログラムを記憶する。
処理回路２５は、メモリ２４から読み出したプログラムを実行し、以下に示す各種の処理を行う。
【００１７】
管理サーバ８は、ユーザ端末４−１〜４−ｐによる上記サービスの利用に応じて、予め決められた基準に従ってポイントを発行する。管理サーバ８は、各店舗で使用可能なクーポンを発行してもよい。
管理サーバ８は、例えば、会員登録の有無とは無関係に、ユーザ端末４−１〜４−ｐからサービス要求があった場合に、上記サービスを提供する。
管理サーバ８は、上記サービスを提供した場合に、そのサービス処理の内容に応じて、会員に対してのみポイントを発行する。すなわち、管理サーバ８は、非会員にはポイントを発行しない。
このように会員に対してのみポイントを発行することで、会員登録する動機付けが与えられる。
【００１８】
なお、管理サーバ８は、各会員について、その会員の登録番号（ＩＤ）と、獲得ポイントとを対応付けて管理する管理データを記憶している。
【００１９】
管理サーバ８は、例えば、ゲームを提供する場合に、会員がゲームで獲得したスコアに応じた数のポイントを、当該会員に発行する。
また、管理サーバ８は、会員から地域などのニュース情報を取得すると、それをニュース掲示板などに表示する処理を行う。当該掲示板は、ユーザ端末４−１〜４−ｐからアクセス可能である。
このとき、管理サーバ８は、会員に対してのみニュースの投稿を認めるとともに、ニュースを投稿した会員に対して所定数のポイントを発行する。
なお、管理サーバ８は、投稿されたニュースに対して任意の会員が評価をできるようにし、評価が高いニュースを掲示板で上位に掲載するようにしてもよい。この場合に、評価に応じた数のポイントを発行するようにしてもよい。
【００２０】
管理サーバ８は、ユーザ端末４−１〜４−ｐを介したユーザからの要求に応じて物々交換に関する情報を掲載する。
また、管理サーバ８は、新聞販売店が管轄する地域情報のうち、その地域への出張者に有用な情報を、ユーザ端末４−１〜４−ｐからアクセス可能に掲載する。
このような情報を掲載することで、上記新聞販売店が管轄する地域内に出張者が引っ越した場合に、その者からの新聞購読受付を受ける可能性が高まる。
【００２１】
管理サーバ８は、管轄する地域のイベントなどの動画をユーザ端末４−１〜４−ｐから受け付け（受信）し、これを他のユーザが視聴可能な状態で掲載する。
そして、管理サーバ８は、動画を提供したユーザに対してポイントを発行する。
これにより、新聞購読促進システム１の運用者が、動画などのコンテンツを自ら収集・獲得する必要がなくなる。
【００２２】
また、管理サーバ８は、ユーザ端末４−１〜４−ｐを介して、新聞購読の受付があると、そのユーザの住所が管轄する地域範囲内であれば購読受付を行い、そうでない場合には、その住所の地域に対応した他の新聞販売店に対して、そのユーザを紹介する処理を行う。
【００２３】
以下、図１に示す新聞購読促進システム１の各種動作例を説明する。
＜第１動作例＞
図４は、図１に示す新聞購読促進システム１の全体動作例を説明するためのフロー図である。
以下、図４に示す各ステップについて説明する。
なお、ステップＳＴ１とステップＳＴ３との順番は任意である。
ステップＳＴ１：
店舗の事業者が、例えば、自らの店舗ＰＣ６―１〜６−ｍを操作して、管理サーバ８に対して店舗登録要求を行う。
【００２４】
ステップＳＴ２：
管理サーバ８は、ステップＳＴ１の店舗登録要求に応じて、登録した店舗の属性情報を図３に示すメモリ２４に書き込む。
なお、当該店舗登録の条件は、新聞購読促進システム１で発行したポイントを、当該店舗において利用できることなどである。また、必要に応じて、当該店舗が発行するクーポンに関する情報を登録する。
【００２５】
ステップＳＴ３：
一般のユーザは、管理サーバ８が提供するホームページを見たユーザがユーザ端末４−１〜４−ｐを操作して会員登録要求を管理サーバ８に送信する。
【００２６】
ステップＳＴ４：
管理サーバ８は、ステップＳＴ３で会員登録要求を受信すると、当該ユーザの属性情報をメモリ２４に登録する。当該属性情報には、ユーザの氏名や住所等の情報がある。
また、管理サーバ８は、当該会員のポイントとして、予め決められた初期ポイントを発行し、その情報をメモリ２４に書き込む。
【００２７】
ステップＳＴ５：
会員は、ユーザ端末４−１〜４−ｐを操作して図２に示す各種のサービスのうち、ポイント発行に関連する処理を管理サーバ８に要求する。
【００２８】
ステップＳＴ６：
管理サーバ８は、ステップＳＴ５で受信した要求に応じて、図２に示す各種のサービスを提供し、そのサービス処理の内容に応じて、会員に対してのみポイントを発行する。すなわち、管理サーバ８は、非会員にはポイントを発行しない。
このように会員に対してのみポイントを発行することで、会員登録する動機付けが与えられる。
【００２９】
ステップＳＴ７：
会員は、例えば、店舗で商品を購入したり、サービスを受ける。その際に、会員は、ユーザ端末４−１〜４−ｐを用いてポイントを利用する。
店舗ＰＣ６―１〜６−ｍは、会員がポイントを利用した場合に、その利用結果を管理サーバ８に通知する。
【００３０】
ステップＳＴ８：
管理サーバ８は、ステップＳＴ７でポイント利用結果通知を送信した店舗ＰＣ６―１〜６−ｍの属性情報に、当該ポイント利用状況情報を追加する。
ステップＳＴ９：
管理サーバ８は、ステップＳＴ７で受信したポイント利用結果通知に応じて、ポイントを利用した会員の蓄積ポイントを利用分だけ減少させる処理を行う。
【００３１】
＜第２動作例＞
当該動作例では、ユーザがユーザ端末４−１〜４−ｐを操作して新聞の配達申込を行う場合を例示する。
図５は、ユーザが新聞の配達申込を行う場合の処理を説明するためのフローチャートである。
ステップＳＴ２１：
ユーザは、管理サーバ８が提供するホームページ上で配達申込のページをクリックし、自らの所定の属性情報を入力して、配達申込を行う。
当該属性情報には、ユーザの氏名、住所などがある。
【００３２】
ステップＳＴ２２：
管理サーバ８は、ステップＳＴ２１で配達申込を受信すると、そのユーザの住所が管理サーバ８を管理する新聞販売店の管轄範囲内であるか否かを判断する。
管理サーバ８は、管轄範囲内であると判断するとステップＳＴ２３に進み、そうでない場合にはステップＳＴ２４に進む。
【００３３】
ステップＳＴ２３：
管理サーバ８は、配達申込を行ったユーザへの新聞配達申込を受ける処理を行う。
【００３４】
ステップＳＴ２４：
管理サーバ８は、配達申込を行ったユーザの住所を管轄エリアとする他の新聞販売店に対して、顧客紹介処理を行う。
また、管理サーバ８は、当該顧客紹介により、上記他の新聞販売店から紹介料を受け取るための処理を行う。
【００３５】
＜第３動作例＞
当該動作例では、上述した第１動作例で一部説明したサービス処理について説明する。
図６は、本発明の実施形態に係るサービス処理を説明するためのフローチャートである。
ステップＳＴ３１：
管理サーバ８は、ユーザ端末４−１〜４−ｐから図２に示す各種サービスの利用要求を受信した否かを判断し、受信したと判断するとステップＳＴ３２に進む。
【００３６】
ステップＳＴ３２：
管理サーバ８は、ステップＳＴ３１でサービス利用要求を出したユーザが新聞の既購読者であるか否かを判断し、そうであると判断した場合にはす３３に進み、そうでないと判断した場合にはステップＳＴ３５に進む。
【００３７】
ステップＳＴ３３：
管理サーバ８は、ステップＳＴ３１で受信した要求に応じて、図２に示す各種のサービスを提供する。
ステップＳＴ３４：
管理サーバ８は、ステップＳＴ３３で提供したサービス処理の内容に応じて、会員に対してのみポイントを発行する処理を行う。
【００３８】
ステップＳＴ３５：
管理サーバ８は、ステップＳＴ３１で受信した要求に応じて、図２に示す各種のサービスを提供する。
こんとき、管理サーバ８は、非会員にはポイントを発行しない。
このように会員に対してのみポイントを発行することで、会員登録する動機付けが与えられる。
【００３９】
なお、管理サーバ８が提供するホームページの画面一例を図７〜図１１に示す。
【００４０】
以上説明したように、新聞購読促進システム１では、ホームページ上で各種の魅力的なサービスを提供し、ホームページへのアクセスを増やすことで、ホームページを介した購読申込数を増やすことができる。
これにより、ユーザの自宅等に出向いて営業を行う場合に比べて新規購読者の獲得が容易になる。
【００４１】
また、新聞購読促進システム１では、新聞の既購読者に対してポイントの発行・利用をできるようにすることから、新聞購読への動機付けを与えることができる。
【００４２】
また、新聞購読促進システム１では、管轄地域外のユーザから購読申込があった場合に、そのユーザの住所に対応した他の新聞販売店に紹介し、紹介料を受けることができる。そのため、購読者の紹介を活発化させることができる。
【００４３】
本発明は上述した実施形態には限定されない。
すなわち、当業者は、本発明の技術的範囲またはその均等の範囲内において、上述した実施形態の構成要素に関し、様々な変更、コンビネーション、サブコンビネーション、並びに代替を行ってもよい。
【００４４】
上述した新聞購読促進システム１では、新聞購読を促進する場合を例示したが、新聞以外にも雑誌等の定期刊行物の購読を促進するようにしてもよい。
また、上述した実施形態では、管理サーバ８が、ホームページ提供機能、サービス提供機能、ポイント発行処理機能等の全ての機能を提供する場合を例示したが、これらの機能を複数のサーバに各々持たせてもよい。  
【産業上の利用可能性】
【００４５】
本発明は、新聞や雑誌等の定期購読物の購読推進する業務を支援する定期刊行物購読支援方法およびその方法に関するものである。
【図面の簡単な説明】
【００４６】
【図１】図１は、本発明の実施形態に係る新聞購読促進システム１の全体構成図である。
【図２】図２は、図１に示す新聞購読促進システムによって提供されるサービスの一覧を説明するための図である。
【図３】図３は、図１に示す管理サーバの構成図である。
【図４】図４は、図１に示す新聞購読促進システムの全体動作例を説明するためのフロー図である。
【図５】図５は、ユーザが新聞の配達申込を行う場合の処理を説明するためのフローチャートである。
【図６】図６は、本発明の実施形態に係るサービス処理を説明するためのフローチャートである。
【図７】図７は、図１に示す管理サーバが提供するホームページのホーム画面の一例である。
【図８】図８は、図１に示す管理サーバが提供するホームページの取り扱い紙紹介画面の一例である。
【図９】図９は、図１に示す管理サーバが提供するホームページのゲームサービス提供画面の一例である。
【図１０】図１０は、図１に示す管理サーバが提供するホームページの質問受け付け画面の一例である。
【図１１】図１１は、図１に示す管理サーバが提供するホームページの配達申し込み画面の一例である。
【符号の説明】
【００４７】
１…新聞購読促進システム
４−１〜４−ｐ…ユーザ端末
６−１〜６−ｍ…店舗ＰＣ
８…管理サーバ
２１…インターフェース
２２…ディスプレイ
２３…操作部
２４…メモリ
２５…処理回路
【図１】
2009266081.tif 000003
【図２】
2009266081.tif 000004
【図３】
2009266081.tif 000005
【図４】
2009266081.tif 000006
【図５】
2009266081.tif 000007
【図６】
2009266081.tif 000008
【図７】
2009266081.tif 000009
【図８】
2009266081.tif 000010
【図９】
2009266081.tif 000011
【図１０】
2009266081.tif 000012
【図１１】
2009266081.tif 000013